(57)【要約】【課題】  近距離及び遠距離の双方における視認性の向上を図る。【解決手段】  複数の発光ダイオード１１、１１、・・・、１２、１２、・・・と該複数の発光ダイオードが配列された基板１３、２９とを有する照射ユニット６、８が透光グローブ２内に収納された散光式警告灯１において、照射ユニットに、発光ダイオードから出射された光を集光する集光レンズ２０、２０、・・・、３４、３４、・・・を有する集光機能部１７、１７、・・・、３２、３２、・・・と、発光ダイオードから出射された光を反射して拡散する拡散リフレクター２２、２２、・・・、３６、３６、・・・を有する拡散機能部１９、１９、・・・、３３、３３、・・・とを設けた。【選択図】図６
2007026938.tif 000002
【特許請求の範囲】
【請求項１】
複数の発光ダイオードと該複数の発光ダイオードが配列された基板とを有する照射ユニットが透光グローブ内に収納された散光式警告灯であって、
照射ユニットは、
発光ダイオードから出射された光を集光する集光レンズを有する集光機能部と、
発光ダイオードから出射された光を反射して拡散する拡散リフレクターを有する拡散機能部とを備えた
ことを特徴とする散光式警告灯。
【請求項２】
上記基板に取り付けられ上記複数の発光ダイオードを密閉する透光性カバーを設けた
ことを特徴とする請求項１に記載の散光式警告灯。
【請求項３】
上記集光機能部と拡散機能部を一体に形成した
ことを特徴とする請求項１又は請求項２に記載の散光式警告灯。
【発明の詳細な説明】
【技術分野】
【０００１】
本発明は散光式警告灯に関する。詳しくは、集光レンズを有する集光機能部と拡散リフレクターを有する拡散機能部とを設け、近距離及び遠距離の双方における視認性の向上を図る技術分野に関する。
【背景技術】
【０００２】
警察車輌、消防車輌、救急車輌等の緊急車輌の屋根に搭載されて、緊急車輌の存在を周囲に警告するための散光式警告灯がある。
【０００３】
一般に、散光式警告灯は、透光グローブ内に光源や該光源から出射された光を所定の方向へ照射するためのレンズ等が配置され、光源から出射された光が上記所定の方向へ照射されることにより緊急車輌の存在が周囲に警告される。
【０００４】
このような散光式警告灯には、光源として、省電力化を図ることができる発光ダイオード（ＬＥＤ）が用いられているものがある（例えば、特許文献１参照）。
【０００５】
【特許文献１】特開２００５−６３７８２号公報
【発明の開示】
【発明が解決しようとする課題】
【０００６】
ところで、散光式警告灯にあっては、周囲に緊急車輌の接近をいち早く知らせることが要求されるため、近距離と遠距離の双方における良好な視認性を確保することが必要である。
【０００７】
ところが、発光ダイオードの出射光には拡散傾向があるため、光源として発光ダイオードを用いた散光式警告灯にあっては、近距離における視認性の確保に比して、遠距離における視認性の確保を図り難いと言う問題がある。
【０００８】
そこで、特許文献１に記載された上記した従来の散光式警告灯のように、出射光の拡散角を狭める作用を有するレンズ部を用いることにより遠距離における良好な視認性を確保することが可能であるが、このような遠方重視の構成とした場合には、逆に、近距離における良好な視認性を確保することができなくなってしまう。
【０００９】
そこで、本発明散光式警告灯は、上記した問題点を克服し、近距離及び遠距離の双方における視認性の向上を図ることを課題とする。
【課題を解決するための手段】
【００１０】
本発明散光式警告灯は、上記した課題を解決するために、透光グローブ内に収納された照射ユニットに、発光ダイオードから出射された光を集光する集光レンズを有する集光機能部と、発光ダイオードから出射された光を反射して拡散する拡散リフレクターを有する拡散機能部とを設けたものである。
【００１１】
従って、本発明散光式警告灯にあっては、発光ダイオードから出射された光が集光機能部によって遠方へ向けて照射されると共に拡散機能部によって近方へ向けて照射される。
【発明の効果】
【００１２】
本発明散光式警告灯は、複数の発光ダイオードと該複数の発光ダイオードが配列された基板とを有する照射ユニットが透光グローブ内に収納された散光式警告灯であって、照射ユニットは、発光ダイオードから出射された光を集光する集光レンズを有する集光機能部と、発光ダイオードから出射された光を反射して拡散する拡散リフレクターを有する拡散機能部とを備えたことを特徴とする。
【００１３】
従って、集光機能部と拡散機能部によって遠方及び近方のそれぞれが照射されるため、近距離及び遠距離の双方における視認性の向上を図ることができる。
【００１４】
請求項２に記載した発明にあっては、上記基板に取り付けられ上記複数の発光ダイオードを密閉する透光性カバーを設けたので、防水性の向上を図ることができる。
【００１５】
請求項３に記載した発明にあっては、上記集光機能部と拡散機能部を一体に形成したので、部品点数の削減による製造コストの低減を図ることができる。
【発明を実施するための最良の形態】
【００１６】
以下に、本発明散光式警告灯を実施するための最良の形態について添付図面を参照して説明する。
【００１７】
散光式警告灯１は、例えば、救急車輌の屋根に搭載される。
【００１８】
散光式警告灯１は、透光グローブ２の内部に所要の各部が配置されて成る（図１参照）。透光グローブ２は透明材料によって形成され、全体として下方に開口された凹状に形成され、内部空間に所要の各部が配置される。透光グローブ２は、その周縁が、下方に配置されたベース板３に取り付けられている。
【００１９】
透光グローブ２は、例えば、３つの部材、即ち、内側部材４と外側部材５、５によって構成されている（図１乃至図４参照）。内側部材４は左右に長く形成され、外側部材５、５はそれぞれ内側部材４の左右に位置され内側部材４から離隔するに従って下方へ変位するように屈曲されている。
【００２０】
散光式警告灯１は、上記のように左右両側部が下方へ変位するように屈曲され、左右両端部がそれぞれ救急車輌の屋根１０００に固定されている（図３参照）。散光式警告灯１と救急車輌の屋根１０００との間には空間が形成され、この空間のうち、左右方向における中央部に、救急車輌の屋根１０００に固定されたスピーカー１００が配置されている。
【００２１】
透光グローブ２の内部には複数の照射ユニットが配置されている（図１参照）。内側部材４の内部には第１の照射ユニット６、６と第２の照射ユニット７が配置され、外側部材５、５にはそれぞれ第３の照射ユニット８、８と第４の照射ユニット９と第５の照射ユニット１０が配置されている。
【００２２】
第１の照射ユニット６、６は内側部材４内における前後両端部にそれぞれ配置されている。第１の照射ユニット６は、図５及び図６に示すように、発光ダイオード１１、１１、・・・及び発光ダイオード１２、１２、・・・が取り付けられた第１の基板１３と、該第１の基板１３の前方又は後方に配置される第１のエクステンション１４と、該第１のエクステンション１４を閉塞するように第１の基板１３に取り付けられる第１の透光性カバー１５とによって構成されている。
【００２３】
第１の基板１３は、前方又は後方を向く光源取付面部１３ａと、該光源取付面部１３ａの下縁から前方又は後方へ突出された連結面部１３ｂと、該連結面部１３ｂの前縁又は後縁に連続され前方又は後方を向く光源取付面部１３ｃと、該光源取付面部１３ｃの下縁から前方又は後方へ突出されたベース面部１３ｄと、左右両側部に位置する側面部１３ｅ、１３ｅとを有している。光源取付面部１３ａには左右に並んで発光ダイオード１１、１１、・・・が取り付けられ、光源取付面部１３ｃには左右に並んで発光ダイオード１２、１２、・・・が取り付けられている。従って、発光ダイオード１１、１１、・・・は発光ダイオード１２、１２、・・・の上方に位置されている。
【００２４】
第１のエクステンション１４は、前方又は後方へ行くに従って下方へ傾斜された傾斜面部１６と、該傾斜面部１６の前縁又は後縁に連続され前方又は後方を向く集光機能部１７と、該集光機能部１７の下縁から前方又は後方へ突出された連結面部１８と、該連結面部１８の前縁又は後縁に連続され前方又は後方を向く拡散機能部１９とを有している。
【００２５】
集光機能部１７には、左右に隣接して複数の集光レンズ２０、２０、・・・、例えば、フレネルレンズが形成され、その内面にフレネルレンズステップ２０ａ、２０ａ、・・・が形成されている。集光レンズ２０、２０、・・・の外面には、それぞれ垂直方向に延びる縦シリンドリカルレンズステップ２１、２１、・・・が形成されている。
【００２６】
拡散機能部１９には、左右に隣接して複数の拡散リフレクター２２、２２、・・・が形成され、それらの中央部にそれぞれ光源配置孔２２ａ、２２ａ、・・・が形成されている。
【００２７】
第１のエクステンション１４は第１の基板１３の前方又は後方に配置され、集光機能部１７と拡散機能部１９がそれぞれ発光ダイオード１１、１１、・・・と発光ダイオード１２、１２、・・・の前方又は後方に対向して位置される。第１のエクステンション１４が第１の基板１３の前方又は後方に配置された状態において、発光ダイオード１１、１１、・・・はそれぞれ集光レンズ２０、２０、・・・の後方又は前方に位置され、発光ダイオード１２、１２、・・・はそれぞれ拡散リフレクター２２、２２、・・・の光源配置孔２２ａ、２２ａ、・・・に位置される。
【００２８】
第１の透光性カバー１５は、例えば、赤色等の有色透明な材料によって形成され、インナーレンズとして機能する。第１の透光性カバー１５は、その周縁が第１の基板１３の周縁に溶着等によって固定され、第１のエクステンション１４及び発光ダイオード１１、１１、・・・、１２、１２、・・・が第１の基板１３と第１の透光性カバー１５によって形成された空間内に密閉される。
【００２９】
第１の照射ユニット６において、発光ダイオード１１、１１、・・・から出射された光はそれぞれ集光レンズ２０、２０、・・・に入射され、該集光レンズ２０、２０、・・・によって集光されて第１の透光性カバー１５及び透光グローブ２を介して照射される（図６及び図７参照）。このとき発光ダイオード１１、１１、・・・から出射された光はそれぞれ集光レンズ２０、２０、・・・によって略平行光束とされ、この略平行光束とされた光が縦シリンドリカルレンズステップ２１、２１、・・・によって左右方向に所定の角度拡散される。従って、発光ダイオード１１、１１、・・・から出射された光は上下方向へは拡散されず（図６参照）、左右方向へは稍拡散されて（図７参照）照射される。
【００３０】
このように発光ダイオード１１、１１、・・・から出射された光は左右方向へ稍拡散されるだけであり、前方及び後方における遠方を照射する光とされる。
【００３１】
また、第１の照射ユニット６において、発光ダイオード１２、１２、・・・から出射された光はそれぞれ拡散リフレクター２２、２２、・・・によって反射され第１の透光性カバー１５及び透光グローブ２を介して照射される。このとき発光ダイオード１２、１２、・・・から出射された光は拡散リフレクター２２、２２、・・・によって上下方向及び左右方向ともに大きく拡散されて照射される（図６及び図８参照）。
【００３２】
このように発光ダイオード１２、１２、・・・から出射された光は上下方向及び左右方向へ大きく拡散されるため、前方及び後方における近方を照射する光とされる。
【００３３】
第２の照射ユニット７は内側部材４内における前後両端部を除いた部分に配置されている。第２の照射ユニット７は、図９に示すように、発光ダイオード２３、２３、・・・が取り付けられた第２の基板２４と、該第２の基板２４の上方に配置される第２のエクステンション２５と、該第２のエクステンション２５を閉塞するように第２の基板２４に取り付けられる第２の透光性カバー２６とによって構成されている。
【００３４】
第２の基板２４には、前後両端部にそれぞれ他の部分より上方に位置する光源取付面部２４ａ、２４ａが設けられている。光源取付面部２４ａ、２４ａには、それぞれ左右に並んで発光ダイオード２３、２３、・・・が取り付けられている。
【００３５】
第２のエクステンション２５は、上方へ凸の緩やかな曲面状に形成され、前後両端部にそれぞれ左右に離隔して複数の光源配置孔２５ａ、２５ａ、・・・が形成されている。第２のエクステンション２５の上面は反射面２５ｂとして形成されている。
【００３６】
第２のエクステンション２５は第２の基板２４の上方に配置され、発光ダイオード２３、２３、・・・がそれぞれ第２のエクステンション２５、２５、・・・の光源配置孔２５ａ、２５ａ、・・・に位置される。
【００３７】
第２の透光性カバー２６は、例えば、無色透明な材料によって形成され、インナーレンズとして機能する。第２の透光性カバー２６は上方へ凸の緩やかな略曲面状に形成され、前後両端部にそれぞれ下方に開口された配置用凹部２６ａ、２６ａ、・・・が左右に離隔して形成されている。第２の透光性カバー２６には、配置用凹部２６ａ、２６ａ、・・・の真上の位置に、それぞれ上方に開口された導光用凹部２６ｂ、２６ｂ、・・・が形成されている。第２の透光性カバー２６には、前後両端部を除く部分に下方に開口された反射用凹部２６ｃ、２６ｃ、・・・が形成されている。反射用凹部２６ｃ、２６ｃ、・・・はそれぞれ前後に位置する導光用凹部２６ｂ、２６ｂ、・・・間に形成されている。
【００３８】
第２の透光性カバー２６は、その周縁が第２の基板２４の周縁に溶着等によって固定され、第２のエクステンション２５及び発光ダイオード２３、２３、・・・が第２の基板２４と第２の透光性カバー２６によって形成された空間内に密閉される。第２の透光性カバー２６が第２の基板２４に固定された状態においては、発光ダイオード２３、２３、・・・がそれぞれ第２の透光性カバー２６の配置用凹部２６ａ、２６ａ、・・・に配置される。
【００３９】
第２の照射ユニット７において、発光ダイオード２３、２３、・・・から出射された光は第２の透光性カバー２６内に入射され、導光用凹部２６ｂ、２６ｂ、・・・の内面で反射されて第２の透光性カバー２６の前後方向における中央側へ導かれる。この反射された光は第２の透光性カバー２６内で直進又は内面反射され、反射用凹部２６ｃ、２６ｃ、・・・の内面で反射され又は透光性カバー２６の上面を透過されて上方へ向けて拡散された状態で照射される。このとき第２の透光性カバー２６を透過されて下方へ向かう光も存在するが、これらの光は第２のエクステンション２５の反射面２５ｂで反射されて再び透光性カバー２６内に導かれる。
【００４０】
このように発光ダイオード２３、２３、・・・から出射された光は上方へ拡散された状態で照射され、上方における近方を照射する光とされる。
【００４１】
また、上記のように、発光ダイオード２３、２３、・・・から出射された光を第２の透光性カバー２６の内部に導いて照射することにより、第２の透光性カバー２６に対向して位置される透光グローブ２の部分全体から光が出射され、視認性の向上が図られる。
【００４２】
尚、上記のように、第２のエクステンション２５に反射面２５ｂを形成し、第２の透光性カバー２６を透過されて下方へ向かった光を反射させることにより、光の有効活用を図ることができ、また、第２のエクステンション２５の下方が遮蔽され見栄えの向上を図ることができる。
【００４３】
また、上記のように、第２の照射ユニット７において、発光ダイオード２３、２３、・・・から出射された光を上方へ照射することにより、車高の高いトラックやバス等の車輌の運転席からの視認性の向上を図ることができる。
【００４４】
第３の照射ユニット８、８、・・・は外側部材５、５内における前後両端部にそれぞれ配置されている。第３の照射ユニット８は、図１０に示すように、発光ダイオード２７、２７、・・・及び発光ダイオード２８、２８、・・・が取り付けられた第３の基板２９と、該第３の基板２９の前方又は後方に配置される第３のエクステンション３０と、該第３のエクステンション３０を閉塞するように第３の基板２９に取り付けられる第３の透光性カバー３１とによって構成されている。
【００４５】
第３の基板２９は、前方又は後方を向く光源取付面部２９ａと、該光源取付面部２９ａの稍前方又は稍後方に位置する光源取付面部２９ｂと、該光源取付面部２９ｂの下縁から前方又は後方へ突出されたベース面部２９ｃと、左右両側部に位置する側面部２９ｄ、２９ｄとを有している。光源取付面部２９ａは、第３の基板２９のうち、内側部材４側の略半部にのみ形成され、光源取付面部２９ｂは、第３の基板２９の左右方向における略全体に形成されている。
【００４６】
第３のエクステンション３０は、前方又は後方へ行くに従って下方へ傾斜された傾斜面部３１と、該傾斜面部３１の前縁又は後縁に連続され前方又は後方を向く集光機能部３２と、前端側又は後端側に位置する拡散機能部３３とを有している。集光機能部３２は第３の基板２９の光源取付面部２９ａに対応する部分にのみ設けられている。
【００４７】
集光機能部３２には、左右に隣接して複数の集光レンズ３４、３４、・・・、例えば、フレネルレンズが形成され、その内面にフレネルレンズステップ３４ａ、３４ａ、・・・が形成されている。集光レンズ３４、３４、・・・の外面には、それぞれ垂直方向に延びる縦シリンドリカルレンズステップ３５、３５、・・・が形成されている。
【００４８】
拡散機能部３３には、左右に隣接して複数の拡散リフレクター３６、３６、・・・が形成され、それらの中央部にそれぞれ光源配置孔３６ａ、３６ａ、・・・が形成されている。
【００４９】
第３のエクステンション３０は第３の基板２９の前方又は後方に配置され、集光機能部３２と拡散機能部３３がそれぞれ発光ダイオード２７、２７、・・・と発光ダイオード２８、２８、・・・の前方又は後方に対向して位置される。第３のエクステンション３０が第３の基板２９の前方又は後方に配置された状態において、発光ダイオード２７、２７、・・・はそれぞれ集光レンズ３４、３４、・・・の後方又は前方に位置され、発光ダイオード２８、２８、・・・はそれぞれ拡散リフレクター３６、３６、・・・の光源配置孔３６ａ、３６ａ、・・・に位置される。
【００５０】
第３の透光性カバー３１は、例えば、赤色等の有色透明な材料によって形成され、インナーレンズとして機能する。第３の透光性カバー３１は、その周縁が第３の基板２９の周縁に溶着等によって固定され、第３のエクステンション３０及び発光ダイオード２７、２７、・・・、２８、２８、・・・が第３の基板２９と第３の透光性カバー３１によって形成された空間内に密閉される。
【００５１】
第３の照射ユニット８、８、・・・において、発光ダイオード２７、２７、・・・から出射された光はそれぞれ集光レンズ３４、３４、・・・に入射され、該集光レンズ３４、３４、・・・によって集光され第３の透光性カバー３１及び透光グローブ２を介して照射される（図１１及び図１２参照）。このとき発光ダイオード２７、２７、・・・から出射された光はそれぞれ集光レンズ３４、３４、・・・によって略平行光束とされ、この略平行光束とされた光が縦シリンドリカルレンズステップ３５、３５、・・・によって左右方向に所定の角度拡散される。従って、発光ダイオード２７、２７、・・・から出射された光は上下方向へは拡散されず（図１１参照）、左右方向へは稍拡散されて照射される。
【００５２】
このように発光ダイオード２７、２７、・・・から出射された光は左右方向へ稍拡散されるだけであり、前方及び後方における遠方を照射する光とされる。
【００５３】
また、第３の照射ユニット８において、発光ダイオード２８、２８、・・・から出射された光はそれぞれ拡散リフレクター３６、３６、・・・によって反射され第３の透光性カバー３１及び透光グローブ２を介して照射される。このとき発光ダイオード２８、２８、・・・から出射された光は拡散リフレクター３６、３６、・・・によって上下方向及び左右方向ともに大きく拡散されて照射される（図１１及び図１２参照）。
【００５４】
このように発光ダイオード２８、２８、・・・から出射された光は上下方向及び左右方向へ大きく拡散されるため、前方及び後方における近方を照射する光とされる。
【００５５】
第４の照射ユニット９、９はそれぞれ外側部材５、５内における前後両端部及び左右両端部を除いた部分に配置されている。第４の照射ユニット９の構造は、内側部材４に配置された上記第２の照射ユニット７の構造と同様であり詳細な説明は省略するが、発光ダイオードが取り付けられた第４の基板と、該第４の基板の上方に配置される第４のエクステンションと、該第４のエクステンションを閉塞するように第４の基板に取り付けられる第４の透光性カバーとによって構成され、発光ダイオードは前後両端部にそれぞれ左右に離隔して複数配置され第４のエクステンション及び発光ダイオードが第４の基板と第４の透光性カバーによって形成された空間内に密閉されている。
【００５６】
第４の照射ユニット９における発光ダイオードから出射された光は、第２の照射ユニット７の場合と同様に、上方へ拡散された状態で照射され、上方における近方を照射する光とされる。
【００５７】
また、発光ダイオードから出射された光は第４の透光性カバーの内部に導かれて照射されるため、第４の透光性カバーに対向して位置される透光グローブ２の部分全体から光が出射され、視認性の向上が図られる。
【００５８】
第５の照射ユニット１０、１０はそれぞれ外側部材５内における左右両端部における前後両端部を除いた部分に配置されている。第５の照射ユニット１０は、図１３及び図１４に示すように、発光ダイオード３７、３７、・・・が取り付けられた第５の基板３８と、該第５の基板３８の側方に配置される第５のエクステンション３９と、該第５のエクステンション３９を閉塞するように第５の基板３８に取り付けられる第５の透光性カバー４０とによって構成されている。
【００５９】
発光ダイオード３７、３７、・・・は、例えば、赤色光を出射するものが用いられている。
【００６０】
第５の基板３８には、側方を向く光源取付面部３８ａ、３８ａ、・・・と該光源取付面部３８ａ、３８ａ、・・・間に位置する連結面部３８ｂ、３８ｂ、・・・と、光源取付面部３８ａ、３８ａ、・・・と連結面部３８ｂ、３８ｂ、・・・を取り囲むようにして設けられた取付部３８ｃ、３８ｃ、３８ｃ、・・・とを有している。光源取付面部３８ａ、３８ａ、・・・と連結面部３８ｂ、３８ｂ、・・・は、交互に複数が設けられ、連結面部３８ｂ、３８ｂ、・・・は光源取付面部３８ａ、３８ａ、・・・に対して傾斜した状態とされている。
【００６１】
第５のエクステンション３９は、側方（外方）へ凸の緩やかな曲面状に形成され、前後に離隔して複数の透過孔３９ａ、３９ａ、・・・が形成されている。第５のエクステンション３９の外面は反射面３９ｂとして形成されている。
【００６２】
第５のエクステンション３９は第５の基板３８の側方（外方）に配置され、発光ダイオード３７、３７、・・・がそれぞれ第５のエクステンション３９、３９、・・・の透過孔３９ａ、３９ａ、・・・に対応して位置される。
【００６３】
第５の透光性カバー４０は、例えば、無色透明な材料によって形成され、インナーレンズとして機能する。第５の透光性カバー４０は側方（外方）へ凸の緩やかな略曲面状に形成され、前後両端部にそれぞれ内方に開口された配置用凹部４０ａ、４０ａ、・・・が略上下に離隔して形成されている。第５の透光性カバー４０には、配置用凹部４０ａ、４０ａ、・・・の反対側の位置、即ち、外面側に、それぞれ外方に開口された導光用凹部４０ｂ、４０ｂ、・・・が形成されている。第５の透光性カバー４０には、前後両端部を除く部分に内方に開口された反射用凹部４０ｃ、４０ｃ、・・・が形成されている。反射用凹部４０ｃ、４０ｃ、・・・はそれぞれ前後に位置する導光用凹部４０ｂ、４０ｂ、・・・間に形成されている。
【００６４】
第５の透光性カバー４０は、その周縁が第５の基板３８の周縁に溶着等によって固定され、第５のエクステンション３９及び発光ダイオード３７、３７、・・・が第５の基板３８と第５の透光性カバー４０によって形成された空間内に密閉される。第５の透光性カバー４０が第５の基板３８に固定された状態においては、発光ダイオード３７、３７、・・・がそれぞれ第５の透光性カバー４０の配置用凹部４０ａ、４０ａ、・・・に配置される。
【００６５】
第５の照射ユニット１０において、発光ダイオード３７、３７、・・・から出射された光は第５の透光性カバー４０内に入射され、導光用凹部４０ｂ、４０ｂ、・・・の内面で反射されて第５の透光性カバー４０の前後方向における中央側へ導かれる。この反射された光は第５の透光性カバー４０内で直進又は内面反射され、反射用凹部４０ｃ、４０ｃ、・・・の内面で反射され又は透光性カバー４０の外面を透過されて左方又は右方へ向けて拡散された状態で照射される。このとき第５の透光性カバー４０を透過されて内方へ向かう光も存在するが、これらの光は第５のエクステンション３９の反射面３９ｂで反射されて再び透光性カバー４０内に導かれる。
【００６６】
このように発光ダイオード３７、３７、・・・から出射された光は左方又は右方へ拡散された状態で照射され、左方又は右方における近方を照射する光とされる。
【００６７】
また、上記のように、発光ダイオード３７、３７、・・・から出射された光を第５の透光性カバー４０の内部に導いて照射することにより、第５の透光性カバー４０に対向して位置される透光グローブ２の部分全体から光が出射され、視認性の向上が図られる。
【００６８】
尚、上記のように、第５のエクステンション３９に反射面３９ｂを形成し、第５の透光性カバー４０を透過されて下方へ向かった光を反射させることにより、光の有効活用を図ることができ、また、第５のエクステンション３９の内方が遮蔽され見栄えの向上を図ることができる。
【００６９】
また、上記には、発光ダイオード３７、３７、・・・として赤色光を出射するものを用いた例を示したが、例えば、発光ダイオード３７、３７、・・・の一部に、他の色、例えば、アンバー色が出射されるものを用いてもよい。このような例としては、第５の基板３８の光源取付面部３８ａ、３８ａ、・・・のうち、下方側に位置する一つの光源取付面部３８ａに配置された発光ダイオード３７、３７、・・・のみにアンバー色が出射されるものを用い、これらのアンバー色が出射される発光ダイオード３７、３７、・・・をサイドターンランプの配線に接続することにより、サイドターンランプとして使用することが可能である。このように屋根１０００に搭載される散光式警告灯１にサイドターンランプとしての機能を持たせることにより、遠方や上方からのサイドターンランプ（発光ダイオード３７、３７、・・・）の視認性が向上し、緊急車輌の進行方向を事前に確認することができる。
【００７０】
以上に記載した通り、散光式警告灯１にあっては、第１の照射ユニット６、６及び第３の照射ユニット８、８、・・・を設け、該第１の照射ユニット６、６と第３の照射ユニット８、８、・・・にそれぞれ集光機能部１７、１７、３２、３２、・・・と拡散機能部１９、１９、３３、３３、・・・を設けて遠方及び近方のそれぞれを照射するようにしているため、近距離及び遠距離の双方における視認性の向上を図ることができる。
【００７１】
また、散光式警告灯１は、透光グローブ２とベース板３によって形成された空間内に、第１の照射ユニット６、６、第２の照射ユニット７、第３の照射ユニット８、８、・・・、第４の照射ユニット９、９及び第５の照射ユニット１０、１０の各ユニットが配置されて構成されているため、発光ダイオードの故障等が生じた場合でも、故障した発光ダイオードが配置されたユニットを交換することにより修理可能であり、メンテナンス性の向上を図ることができる。
【００７２】
さらに、第１の照射ユニット６、６、第２の照射ユニット７、第３の照射ユニット８、８、・・・、第４の照射ユニット９、９及び第５の照射ユニット１０、１０のそれぞれについて、第１の基板１３、第２の基板２４、第３の基板２９、第４の基板、第５の基板３８と第１の透光性カバー１５、第２の透光性カバー２６、第３の透光性カバー３１、第４の透光性カバー、第５の透光性カバー４０とによって発光ダイオード１１、１１、・・・、１２、１２、・・・、２３、２３、・・・、２７、２７、・・・、２８、２８、・・・、３７、３７、・・・等を密閉しているため、防水性の向上を図ることができる。
【００７３】
加えて、集光機能部１７、１７、３２、３２、・・・に設けられた集光レンズ２０、２０、・・・、３４、３４、・・・と拡散機能部１９、１９、３３、３３、・・・に設けられた拡散リフレクター２２、２２、・・・、３６、３６、・・・とを第１のエクステンション１４又は第３のエクステンション３０に一体に形成しているため、部品点数の削減による製造コストの低減を図ることができる。
【００７４】
上記した最良の形態において示した各部の形状及び構造は、何れも本発明を実施するに際して行う具体化のほんの一例を示したものに過ぎず、これらによって本発明の技術的範囲が限定的に解釈されることがあってはならないものである。
【図面の簡単な説明】
【００７５】
【図１】図２乃至図１４と共に本発明散光式警告灯の最良の形態を示すものであり、本図は斜視図である。
【図２】片側の半部を示す平面図である。
【図３】片側の半部を示す正面図である。
【図４】側面図である。
【図５】第１の照射ユニットを示す分解斜視図である。
【図６】図３のＶＩ―ＶＩ線に沿う拡大断面図である。
【図７】図３のＶＩＩ―ＶＩＩ線に沿う拡大断面図である。
【図８】図３のＶＩＩＩ―ＶＩＩＩ線に沿う拡大断面図である。
【図９】図２のＩＸ―ＩＸ線に沿う拡大断面図である。
【図１０】第３の照射ユニットを示す分解斜視図である。
【図１１】図２のＸＩ―ＸＩ線に沿う拡大断面図である。
【図１２】図３のＸＩＩ―ＸＩＩ線に沿う拡大断面図である。
【図１３】図４のＸＩＩＩ―ＸＩＩＩ線に沿う拡大断面図である。
【図１４】図４のＸＩＶ―ＸＩＶ線に沿う拡大断面図である。
【符号の説明】
【００７６】
１…散光式警告灯、２…透光グローブ、６…第１の照射ユニット、８…第３の照射ユニット、１１…発光ダイオード、１２…発光ダイオード、１３…第１の基板、１５…第１の透光性カバー、１７…集光機能部、１９…拡散機能部、２０…集光レンズ、２２…拡散リフレクター、２７…発光ダイオード、２８…発光ダイオード、２９…第３の基板、３１…第３の透光性カバー、３２…集光機能部、３３…拡散機能部、３４…集光レンズ、３６…拡散リフレクター
【図１】
2007026938.tif 000003
【図２】
2007026938.tif 000004
【図３】
2007026938.tif 000005
【図４】
2007026938.tif 000006
【図５】
2007026938.tif 000007
【図６】
2007026938.tif 000008
【図７】
2007026938.tif 000009
【図８】
2007026938.tif 000010
【図９】
2007026938.tif 000011
【図１０】
2007026938.tif 000012
【図１１】
2007026938.tif 000013
【図１２】
2007026938.tif 000014
【図１３】
2007026938.tif 000015
【図１４】
2007026938.tif 000016